(57)【特許請求の範囲】
【請求項１】
粒状の火山性軽石から構成される施設栽培用培地の形成方法であって、採掘された火山性軽石を粒径１．０〜５．６ｍｍに選別し、選別された軽石を加熱及び乾燥し、乾燥された軽石を湿気を遮断する袋に密封して保管し、保管された軽石を施設栽培施設に施工して、飽和透水係数が０．３〜０．８ｃｍ／ｓｅｃ、通気係数が乾燥試料及び湿潤試料で１５〜４０ｃｍ／ｓｅｃの培地を形成することを含む方法。
【請求項２】
選別された火山性軽石を乾燥する工程を少なくとも１０５℃の温度で行って０．４％以下の含水率を有する軽石を形成する請求項１に記載の方法。
【請求項３】
培地が３．０〜４．０ｍｅｑ／１００ｇの陽イオン交換容量を有する請求項１に記載の方法。
【請求項４】
火山性軽石がシラス軽石である請求項１に記載の方法。
【発明の詳細な説明】
技術分野
本発明は、栽培用培地に関し、更に具体的には、例えば野菜、果樹、花卉植物などを施設栽培法によって節水及び省資源下で栽培するのに好適な栽培用培地に関する。また、培地の水分調節ができるので、果菜類のうちトマトやメロン等で糖度を上げることができるなど、付加価値のある農作物を栽培することのできる栽培用培地に関する。
背景技術
サラダナやトマトなどの高級野菜などを栽培する場合、畑地などではなく、例えばオープンエリヤ施設やハウス施設などで精密に環境管理しながら、工場生産的に栽培する必要がある場合がある。このような栽培方法を、施設栽培と呼んでいる。
高級野菜や果樹植物の優れた施設栽培法として、養液栽培法がある。養液栽培法は、固形培地方式と非固形培地方式とに分類される。固形培地方式には、例えば、砂耕、れき耕、くん炭耕などがある。これは、砂、礫、くん炭などを敷き詰めて培地とし、ここに栄養水液などを絶えずふりかける方法である。
従来の固形培地方式においては、栽培に非常に手間がかかるという問題があった。砂や礫などの培地には、植物は根を張りにくく、そのため収穫率が悪かった。また、植物が病気になりやすく、絶えず監視の目を怠ることができなかった。更に、水管理が難しく、しばしば大量の排水を排出したり、或いは逆に水不足を起こすという問題もあった。
現在、施設栽培用の培地として、様々な用途や目的に応じてさまざまな培地が検討されているが、養液を多量に必要とせず、また養液を滞留させることがなくて病気を発生させにくいなどの点から、軽石を培地として使用することが提案されている。しかしながら、培地として軽石を使用するとしても、どのような物性を有する軽石が施設栽培用培地として適しているか、或いはどの程度の粒度のものが適しているかという研究はこれまで行われていない。
本発明は、固形培地方式の施設栽培法において軽石を培地として用いる場合の最適の物性及び粒度を見出し、栽培にほとんど手間がかからず、水管理が容易で、基本的には排液を発生することのない栽培用培地を提供することを目的とする。
発明の開示
上記の目的を達成するために、本発明は、飽和透水係数が０．３〜０．８ｃｍ／ｓｅｃ、通気係数が乾燥試料及び湿潤試料で１５〜４０ｃｍ／ｓｅｃの粒状の軽石から構成されることを特徴とする栽培用培地に関する。
種々の培地の中で、粒状の火山性軽石を培地とすると、培地の透水性が良好で、軽量であり、また粘着性がないことから、栽培作業が簡便になる利点がある。また、この粒状軽石の培地は、土と比べると根圏に対する養分の補給機能が少なく、肥料成分の保持機能も低いが、養液を滴下チューブによって適宜供給することにより、作物を含めた隔離床からの水分の蒸発量とほぼ等しい液滴供給量で適正な水分状態を維持できる利点がある。したがって、極めて少量の水と極めて少ないエネルギーで栽培を行うことができる。
軽石とは、火山噴火で、流紋岩、安山岩などのケイ長質のマグマが空中に噴出されるときに、急激な圧力の低下によってマグマ中の揮発成分が放出され、多数の気孔が生じたガラス質の岩石を言い、小孔のある泡のような外観を呈する無数の小さな穴を有することを特徴とする。軽石は、通常その産地で区別される。その理由は、軽石の原料となる岩石の種類の違いによって、その物性が異なるからである。軽石が安山岩を主成分とする場合には優黒質気味であるのに対して、流紋岩を主成分とする場合には白ないし淡灰色を示し、後者の方がより多孔質である。
本発明者らは、固形培地方式において用いる培地としての軽石の種々の特性について研究を行った結果、飽和透水係数及び通気係数に着目し、飽和透水係数が０．３〜０．８ｃｍ／ｓｅｃ、通気係数が乾燥試料及び湿潤試料で１５〜４０ｃｍ／ｓｅｃの粒状の軽石を用いることにより、極めて優れた栽培用培地を提供することができることを見出し、本発明を完成するに至った。かかる範囲内の物性を有する粒状の軽石から構成される栽培用培地は、作物の根の吸水作用、呼吸作用に理想的な環境条件を具現し、更に培地中に好気性条件が維持されて嫌気性菌の繁殖を抑制し、根の病気の発病を抑制するという効果を発揮する。
発明を実施するための最良の形態
上述したように、本発明に係る栽培用培地は、飽和透水係数及び通気係数が所定の範囲内にある粒状の軽石から構成されることを特徴とする。
本発明に係る栽培用培地において用いられる軽石は、０．３〜０．８ｃｍ／ｓｅｃの範囲内の飽和透水係数を有することが好ましい。飽和透水係数が０．３ｃｍ／ｓｅｃ未満の場合、水の拡散が遅すぎて、培地の水分が不均一になり、古い培養液が滞留して植物の根を痛め易くなり、好ましくない。また、０．８ｃｍ／ｓｅｃを超えると、水の拡散が速すぎて、培地から水が抜けてしまい、十分な給水或いは栄養補給が困難となり、好ましくない。「飽和透水係数」は、例えば、「土壌環境分析法」，日本土壌肥料学会監修，土壌環境分析法編集委員会編，博友社刊，１９９７年第１刷発行，６６〜６９頁に説明されている。本発明において規定する飽和透水係数は、定水位法によって求める。定水位法による飽和透水係数を測定するために用いられる土壌透水性測定器（例えば、大起理化工業製，ＤＩＫ−４０００）の例を図１に概念図として示す。まず、分析する試料を充填した採土円筒１の上部に、ゴムリング２によって定水位ホルダー３を接続する。次に、採土円筒１を水槽４に据え、定水位ホルダー３の排水口５を排水パイプ６の上方に位置させる。これは、余剰水を排水させるためである。なお、採土円筒１の下部は金網キャップ１１によって止められている。水槽の排水口７の下にメスシリンダー８を置き、自在ノズル９を定水位ホルダー３の上に位置させて給水パイプ１０から給水を開始する。この時、給水によって試料の土壌面が乱されないように、濾紙片などで土壌面を保護する。給水は常温のものを用いる。定水位ホルダー内の水位が一定に保たれるように自在ノズル９のコックによって給水量を適度に調節し、メスシリンダー内に一定時間ｔ（ｓｅｃ）の間に流入した水の体積Ｑ（ｍｌ）を測定する。測定は２〜３回繰り返して行う。
試料の飽和透水係数（ｃｍ／ｓｅｃ）は、次式によって係数Ｋとして算出される。
Ｋ＝Ｑ÷｛（Ａ・ｔ・Ｈ）／Ｌ｝          （１）
上式中、Ｑは流量（ｍｌ）；Ａは試料の断面積（ｃｍ２）；ｔは時間（ｓｅｃ）；Ｈは位差（ｃｍ）；Ｌは試料の厚さ（ｃｍ）；である。
本発明に係る栽培用培地において用いられる軽石は、通気係数が乾燥試料、湿潤試料ともに１５〜４０ｃｍ／ｓｅｃであることが好ましく、２０〜３０ｃｍ／ｓｅｃであることがより好ましい。通気係数が１５ｃｍ／ｓｅｃ未満となると、根に対する酸素供給の低下が起こり、植物に攻撃的な嫌気性菌の増殖を助長するおそれがあり、好ましくない。また、４０ｃｍ／ｓｅｃを超えると、酸素供給の面からは問題がないが、空隙率が高い為に根と培地とが密着しずらくなる傾向になり、好ましくない。なお、湿潤試料とは、水の飽和状態下で２４時間放置した直後の試料をいう。「通気係数」は、例えば、「土壌物理性測定法」，農林省農林水産技術会議事務局監修，土壌物理性測定法委員会編，養賢堂刊，１９７８年発行，下巻２７０〜２７３頁に説明されている。土壌の通気係数を測定するための装置の概念図を図２に示す。実際の測定には、例えば大起理化工業製の土壌通気性測定器ＤＩＫ−５００１などを用いる。図２において、Ａは試料の入っている円筒で、厚いゴム板（Ｂ）の中に密着するように挿入してある。ゴム板（Ｂ）は、ガラス容器（Ｃ）の上に気密を十分保たせてのせる。水中マノメーターＥで試料の入口圧力と出口圧力との差（Ｐ２−Ｐ１）（水頭ｃｍ）を測定しながら一定量（Ｑｃｍ３）の空気をガスメーターＤで計量しながら試料に通気して、通過時間ｔ（ｓｅｃ）を測定する。流路面積をＡｃｍ２、流路長をＬｃｍとすると、通気係数Ｋａ（ｃｍ／ｓｅｃ）は次式で求められる。
Ｋａ＝Ｑ×Ｌ／｛（Ｐ２−Ｐ１）×Ａ・ｔ｝    （２）
更に、本発明に係る栽培用培地において用いられる軽石は、３．０〜４．０ｍｅｑ／１００ｇの陽イオン交換容量を有することがより好ましい。なお、本明細書においてｍｅｑ／１００ｇは１００ｇの乾土あたりのミリ当量をいう。陽イオン交換容量が３．０ｍｅｑ／１００ｇ未満の場合には、保肥力が小さく収穫率が悪くなるので好ましくなく、また、軽石の組成上、陽イオン交換容量が４．０ｍｅｑ／１００ｇを超えることはほぼ無い。陽イオン交換容量の測定は、例えば、上述の「土壌環境分析法」２０８〜２１０頁に記載のセミミクロＳｃｈｏｌｌｅｎｂｅｒｇｅｒ法（ｐＨ７．０の１Ｍ酢酸アンモニウムを用いたＳｃｈｏｌｌｅｎｂｅｒｇｅｒ法を１０分の１に縮小した方法）を用いて行うことができる。Ｓｃｈｏｌｌｅｎｂｅｒｇｅｒ法では、浸透管に土壌カラムを作成し、酢酸アンモニウム中のＮＨ４＋で交換性陽イオンを交換・浸出した後、エタノールで余剰の酢酸アンモニウムを洗浄し、次いで塩化ナトリウム液でＮＨ４＋を浸出し、水蒸気蒸留・滴定等によってＮＨ４＋を定量し、吸着ＮＨ４＋をもって陽イオン交換容量とする。
本発明者らの研究により、軽石は、１．０〜５．６ｍｍの範囲の粒径を有する場合に、上記に規定する範囲の適度な飽和透水係数、通気係数及び陽イオン交換容量を有する場合が多いことが分かった。とりわけ、鹿児島県地方のシラス軽石で上記の範囲の粒径を有するものは、上記に規定する適度な飽和透水係数、通気係数及び陽イオン交換容量を有することが分かった。
例えば、粒径１．０ｍｍ以下の軽石粒子は、通気係数が乾燥試料で１０ｃｍ／ｓｅｃ近辺、湿潤試料で２〜５ｃｍ／ｓｅｃである。したがって、１．０ｍｍ以下の粒径の軽石粒子を用いると、特に湿潤状態で通気性が著しく悪くなる。粒径が１．０〜５．６ｍｍの範囲では、乾燥試料、湿潤試料ともに、安定して優れた通気係数が得られる。
粒径は、例えばＪＩＳ  Ｚ８８０１記載の試験用標準篩を用いて分ける。粒径１．０〜５．６ｍｍの軽石は、ＪＩＳ  Ｚ８８０１の呼び寸法５．６の篩を通過し、呼び寸法１．０の篩を通過しない大きさのものをいう。篩い分けは常法によって操作し、粒径値は、事実上の主たる粒子の粒径値を指す。全重量中に１０体積％以下の割合で微粉末を含んでいることは問題にはならず、このような軽石も、本発明の範囲内に含まれる。
したがって、本発明に係る栽培用培地において用いられる軽石は、１．０〜５．６ｍｍの範囲の粒径を有し、且つ、０．３〜０．８ｃｍ／ｓｅｃの範囲内の飽和透水係数を有し、更に通気係数が乾燥試料、湿潤試料ともに１５〜４０ｃｍ／ｓｅｃを有することが特に好ましい。更には、本発明に係る栽培用培地において用いられる軽石は、上記の範囲の粒径を有し、且つ、３．０〜４．０ｍｅｑ／１００ｇの陽イオン交換容量を有することが更に好ましい。粒径が１．０ｍｍ未満の軽石は、しばしば陽イオン交換容量が１．０ｍｅｑ／１００ｇ未満に下がる。
シラス軽石については、例えば、「土の環境圏」，岩田進午ら監修，（株）フジテクノシステム発行，１９９７年，３０〜３２頁にその定義と共に説明がなされている。これによれば、「シラス」とは、「後期更新世の大規模なカルデラ火山から噴出した火砕軽石流堆積物の非溶結部またはその２次堆積物」の総称であり、我が国においては、南九州のものがよく知られている。また、これ以外にも、屈斜路湖、十勝岳、支笏湖、洞爺湖、十和田湖、阿蘇山などのカルデラ火山周辺に同様のシラスが分布するが、国土庁の土地分類基本調査等の表層地質図では軽石流堆積物として図示されている。
図３にシラス軽石の５００倍拡大顕微鏡写真を、図４に砂粒の５００倍拡大顕微鏡写真を示す。図３及び図４を比較すると、シラス軽石の多孔質性が確認される。
また、本発明に係る栽培用培地に用いられる軽石は、上記に説明したように、粒径１．０〜５．６ｍｍの範囲で採掘及び選別し、直ちに含水率を０．４％以下になるように乾燥工程を施したものが更に好ましい。したがって、本発明の他の態様は、飽和透水係数が０．３〜０．８ｃｍ／ｓｅｃ、通気係数が乾燥試料及び湿潤試料で１５〜４０ｃｍ／ｓｅｃの粒状の軽石を、採掘後に乾燥工程を施して０．４％以下の含水率を有するように調整された軽石から構成される栽培用培地に関する。
採掘された軽石は、空隙部分などに有機物や微生物などが付着していたり、或いは取り扱い中に付着したりするので、これが栽培の際に悪影響を与えたり、これらの有機物や微生物などの存在によって軽石の物理性及び化学性が不安定になる場合があるが、このように採掘直後の軽石に乾燥工程を施すことにより、軽石の物理性及び化学性を安定させると共に、微生物の繁殖を防ぐことができ、安定した品質を保持できる栽培用培地を提供することができる。乾燥は、加熱炉又は電子レンジ等によって行うことができる。加熱炉を用いる場合には、軽石の温度として最低でも１０５℃まで加熱すべきで、望ましくは２５０℃前後で加熱することが好ましい。また、電子レンジを用いる場合には、工業用で出力の大きな電子レンジを用いる必要がある。加熱時間は、軽石の含水率が０．４％以下になる時間とする。軽石中に初期に含まれている水の量が異なる場合が多いので、安全をみて加熱時間を少し長めにとることが望ましい。乾燥工程が終了した軽石は、常温になった時点でビニール等の湿気を遮断する袋に密封して保管することが望ましい。
土壌の含水率は、以下の式で表される。
含水率（重量％）＝（水分重量／湿土重）×１００    （３）
ここで、水分重量＝湿土重−乾土重であり、乾土重は、採取した土壌を１０５℃で２４時間乾燥した後の重量である。なお、乾土重の定義は、上述の「土壌環境分析法」２１〜２３頁の記載に基づく。
更に、本発明者らは、上記に説明した所定の物性を有する粒状の軽石から構成される栽培用培地に更に粒状の炭を混合することによって、大規模栽培により一層適した栽培用培地を提供することができることを見出した。このような混合培地は、培地の物理性及び化学性が軽石培地とほぼ同等の条件で、保水力及び保肥力を大きくして、苗の定植後に生育速度の大きな栽培をさせることができる。したがって、本発明の更に他の態様は、上記に規定する粒状の軽石から構成される培地に、更に炭を配合したことを特徴とする栽培用培地に関する。
ここで用いることのできる粒状の炭は、各種の有機性材料を乾留して得られる炭であれば何でもよいが、保水性と保肥性との観点から、多孔質の程度の大きなものが好ましい。本発明の好ましい態様において好ましく用いることのできる炭の形態としては、木炭、竹炭、もみがら炭などを挙げることができる。本発明の好ましい態様において炭を加える目的は、保肥性のあまりよくない火山性軽石の欠点を補うものであるので、多孔質の程度が高く、保水力及び保肥力の高いものであることが好ましい。また、例えば、農業副産物を炭化したもの、具体的には例えばビール粕（かす）を炭化したものを用いると、廃棄物の有効利用にもつながり、極めて好ましい。更に、本発明の好ましい態様に係る栽培用培地において用いる炭は、その有効利用の観点から、循環して再利用することが好ましい。
炭の粒度は、軽石の粒度と同程度でよいが、炭の多孔質の状態、軽石に対する配合割合などによって、適宜選択することができる。炭の好ましい粒度は１〜５．６ｍｍの範囲がよいが、平均粒径はその状況によって選択する。軽石と混合した際に均一に混ざり合うような平均粒径を有する炭が好ましい。
軽石と炭との配合割合は、栽培する作物との関係で種々選択することができるが、一般に、軽石の質量に対する炭の質量が０．１〜０．５倍の範囲とすることができる。
以下の実施例によって、本発明の各種態様をより具体的に説明する。これら実施例は、本発明の具体例を示すものであり、本発明はこれらに限定されるものではない。
実施例１
本実施例で用いた栽培装置の概念を図５に示す。４５０ｍｍ×１２００ｍｍの広さの栽培ボックス１０１を設け、鹿児島県算出のシラス軽石１０２を深さ８０ｍｍに充填し、７、８月時期にサラダナＡを栽培した。栽培試験は静岡県において行った。用いたシラス軽石１０２は、５６６０μｍの篩と１０００μｍの篩とを用いて粒径１．０ｍｍ〜５．６ｍｍに選別し、加熱炉内で２５０℃で４時間乾燥したものを用いた。軽石の含水率は０．２％であった。軽石の飽和透水係数は３．４×１０−１ｃｍ／ｓｅｃ、通気係数は乾燥試料で２９ｃｍ／ｓｅｃ、湿潤試料で２７ｃｍ／ｓｅｃ、陽イオン交換容量は３．４ｍｅｑ／１００ｇであった。放水小孔１０３が所定間隔で周壁に長さ方向に一列に点在する多孔放水管１０４を、栽培ボックス１０１の上方に水平に掛け渡し、適宜散水を行った。
サラダナを播種して２日後に発芽を確認し、１０日後に温室内の栽培ボックスに定植した。栽培面積は２０ｍ２であった。太陽光を照射しながらかけ流しして栄養（液肥）と水を補給した。定植３０日後、１ｍ２あたり３６株の収穫があった。収穫されたサラダナの株のうちの１２株の重量を測定した。ここで、株の重量とは、根を除くサラダナの重量である。結果を表１に示す。
0003784719.tif 000002
比較例１
シラス軽石に代えて以下の性状を有する砂を培地として用いた他は、実施例１と同様にサラダナの栽培試験を行った。用いた砂の粒径は０．２〜１．０ｍｍ、含水率は０．５ｗｔ％、飽和透水係数は３．７ｃｍ／ｓｅｃ、通気係数は乾燥試料で５９ｃｍ／ｓｅｃ、湿潤試料で６３ｃｍ／ｓｅｃ、陽イオン交換容量は０．９ｍｅｑ／１００ｇであった。栽培面積は１０ｍ２であった。１ｍ２あたり２２株の収穫があり、そのうち１２株について重量を測定した。結果を表２に示す。１２株の平均株重量は８２．９ｇであった。
0003784719.tif 000003
実施例１と比較例１とを比較することにより、本発明に係る軽石培地を用いると、砂耕に比べて栽植密度を高くすることが可能で、且つ株当たりの重量を高めることができることが分かる。
比較例２
鹿児島県算出のシラス軽石を、粒径１ｍｍ未満に篩選別した試料の飽和透水係数、通気係数、陽イオン交換容量を測定した。飽和透水係数は２．５×１０−２ｃｍ／ｓｅｃと実施例１で用いたシラス軽石試料の約１０分の１以下であった。通気係数は乾燥試料で１２ｃｍ／ｓｅｃ、湿潤試料で４ｃｍ／ｓｅｃであり、特に湿潤試料の通気係数が低かった。また、陽イオン交換容量は１．３ｍｅｑ／１００ｇであった。
実施例２
軽石に木炭を混合した培地を用いた栽培試験を行った。軽石としては、実施例１で用いたものと同じシラス軽石試料を用いた。木炭（ヤシガラ炭）を粉砕して粒径１〜２ｍｍに調整した木炭粒子を準備し、シラス軽石に対して、木炭を重量比で、それぞれ０％（Ａ）、１０％（Ｂ）、２０％（Ｃ）、３０％（Ｄ）、４０％（Ｅ）、５０％（Ｆ）となるように混合した培地を形成した。それぞれの培地においてサラダナを栽培した。栽培は沖縄県において行った。５月末に播種し、播種後１７日目に定植し、その３２日後に収穫した。灌水方法は、点滴かけ流しとし、育苗中は５０ｍｌ／株、定植中は６０ｍｌ／株の量の灌水を行った。肥料として液肥を施した。それぞれの培地に関して２１株を収穫し、株当たりのサラダナの平均重量（根を除いた部分の重量）を求めた。結果を表３及び図６に示す。
0003784719.tif 000004
表３及び図６より、木炭を混合しない培地で栽培したサラダナに対して、木炭を混合した培地で栽培したサラダナの重量が株当たり平均２０ｇ増大したことが分かる。
実施例３
軽石に木炭を混合した培地を用いた連作栽培試験を行った。軽石としては、実施例１で用いたものと同じシラス軽石試料を用いた。木炭（ヤシガラ炭）を粉砕してシラス軽石試料と同じサイズの分級を行い（粒径１〜５．６ｍｍ）、粒度を調整した木炭粒子を準備し、シラス軽石に対して、木炭を重量比で、それぞれ０％（Ａ）、１０％（Ｂ）、２０％（Ｃ）、３０％（Ｄ）、５０％（Ｅ）、８０％（Ｆ）、１００％（Ｇ）となるように混合した培地を形成した。それぞれの混合培地を１鉢について８００ｇとなるように採取し、１リットルのパイレックス製ビーカーに収容して培地とし、それぞれの培地においてコマツナを栽培した。栽培は静岡県において行った。播種後約１０日目に定植し、その約３０日後に収穫した。これを１０連作行った。養液として、河川水をベースに養分を添加したものを用いた。添加した養分の割合は、園芸試験場標準処方の培養液（成分濃度：Ｎ＝１６（ｍｅｑ／リットル：以下単位同じ）；Ｐ＝４；Ｋ＝８；Ｃａ＝８；Ｍｇ＝４）とほぼ同じになるようにした。全ての培地に対して、一つの養液タンクで調整した養液を同じタイミングで同じ量だけ供給するようにした。栽培試験期間中、培地はビニールハウス内に収容した。収穫されたコマツナの株の重量を測定した。結果を下表に示す。なお、株重量は、１０株の重量を測定した値の平均値である。
0003784719.tif 000005
上表より、シラス軽石１００％の培地よりも、１０〜５０重量％の木炭を配合した混合培地の方が、収量が増えており、また、連作による作物の収量低下が起こらなかったことが分かる。
産業上の利用の可能性
本発明に係る栽培用培地は、飽和透水係数が０．３〜０．８ｃｍ／ｓｅｃ、通気係数が乾燥試料及び湿潤試料で１５〜４０ｃｍ／ｓｅｃの粒状の軽石から構成されることを特徴とするもので、植物栽培、特に施設栽培において用いる培地として極めて好適である。本発明に係る栽培用培地を用いて栽培することのできる植物としては、具体的には、野菜、果樹、花卉植物などを挙げることができ、その中でも、特に、施設栽培に向いているサラダナ、コマツナなどを挙げることができる。また、本発明の更に好ましい態様においては、更に培地に炭を加えることにより、培地の保水力及び保肥力が高まり、連作による作物の収量低下を防ぐことができ、長期間に亘って栽培を繰り返すことができるので、農作業が簡略化される。更に、培地の汚染による培地の交換頻度が少なくなることによって、使用済みの培土の廃棄による経済的な負担が軽減される。本発明に係る栽培用培地は、施設栽培において安定した収量を得ることができ、安定した計画生産を目的とする施設栽培において極めて都合がよい。
【図面の簡単な説明】
図１は、本発明において規定する定水位法による飽和透水係数を測定するために用いられる土壌透水性測定器の概念図である。
図２は、本発明において規定する通気係数を測定するために用いられる通気性測定装置の概念図である。
図３は、シラス軽石の５００倍拡大顕微鏡写真である。
図４は、砂粒の５００倍拡大顕微鏡写真である。
図５は、本発明の実施例１において用いた栽培試験装置の概要を示す図である。
図６は、本発明の実施例２の栽培試験結果を示すグラフである。
【図１】
0003784719.tif 000006
【図２】
0003784719.tif 000007
【図３】
0003784719.tif 000008
【図４】
0003784719.tif 000009
【図５】
0003784719.tif 000010
【図６】
0003784719.tif 000011